(57)【特許請求の範囲】
【請求項１】
取付部、雨水案内部、前垂れ部を有する水切り材本体と、通気孔を有する防鼠部とからなる床下換気工法用の水切り材に於いて、
水切り材本体と防鼠部とは、弾性を有する、１枚の板金を折返して、取付部が２重になるように加工して製作され、
水切り材本体は、取付部の下端から屈曲させて雨水案内部が形成され、更に、雨水案内部の前端から屈曲させて前垂れ部が形成され、
防鼠部は、水切り材本体の前垂れ部の背後に位置し、２重となった他方の取付部の下端から屈曲させ、片持ち状態で連設されており、
更に、防鼠部は弾性によって、使用状態では、片持ち状態の下端が、布基礎に当接するようになる床下換気工法用の水切り材。
【請求項２】
通気壁工法に用いる為、水切り材本体の取付部から前方に屈曲され、更に、前端で折返されて、２重になって突出形成されると共に、通気孔が形成された、防虫部を有する請求項１記載の床下換気工法用の水切り材。
【請求項３】
通気壁工法に用いる為、防鼠部の取付部から後方に屈曲され、更に、前端で折返されて、２重になって突出形成されると共に、通気孔が形成された、防虫部を有する請求項１記載の床下換気工法用の水切り材。
【発明の詳細な説明】
【０００１】
【発明の属する技術分野】
この発明は、布基礎と土台との間に、適当な間隔で基礎パッキンを挟み込み、これによって生じた布基礎と土台との間隙から床下の換気を図る工法の建物に使用する水切り材に関する。
【０００２】
【従来の技術】
このような床下換気工法を採る場合には、布基礎と土台との間隙から鼠が床下に侵入するのを防がなければならない。この為、従来は水切り材の前垂れ部の下端から水平方向に防鼠部を連設し、板面に形成された多数の孔から空気のみを通し、鼠の通過を阻止する方式を採っている。
【０００３】
【発明が解決しようとする課題】
ところが、前記の従来のような前垂れ部の下端に防鼠部を連設した場合には、防鼠部の奥端が布基礎の表面と当接するようになる。ここで布基礎がていねいに仕上げ施工されていれば問題はないが、通常、布基礎はコンクリートの現場打ちで施工される為、仕上げ精度は悪く、表面には凹凸があって不陸が発生していることが多い。この為、この布基礎の表面に防鼠板の端を当接させると、その不陸によって水切り材全体に撓みが生じ、仕上がり具合が悪くなって、外観体裁を損なうことになる。
【０００４】
本発明は、このような点に鑑み、布基礎の不陸による影響を受けることなく、常にきれいに施工仕上げのできる水切り材を提供するにある。
【０００５】
【課題を解決するための手段】
本発明の水切り材の技術的手段は、取付部、雨水案内部、前垂れ部を有する水切り材本体と、通気孔を有する防鼠部とからなる床下換気工法用の水切り材に於いて、水切り材本体と防鼠部とは、弾性を有する、１枚の板金を折返して、取付部が２重になるように加工して製作され、水切り材本体は、取付部の下端から屈曲させて雨水案内部が形成され、更に、雨水案内部の前端から屈曲させて前垂れ部が形成され、防鼠部は、水切り材本体の前垂れ部の背後に位置し、２重となった他方の取付部の下端から屈曲させ、片持ち状態で連設されており、更に、防鼠部は弾性によって、使用状態では、片持ち状態で下端が布基礎に当接するようになることにある。
【０００６】
弾性変形し易くするため、防鼠部に屈曲部を形成してもよい。更に、通気壁工法用として、水切り材本体の取付部から前方に屈曲され、更に、前端で折返されて、２重になって突出形成されるとともに、通気孔が形成された、防虫部を有するようにしてもよい。
【０００７】
【発明の実施の形態】
本発明の水切り材の実施の形態を、図面の実施例に基づいて説明する。図１は第１実施例で、水切り材１０の使用状態が示されている。布基礎１と土台２との間の適所には、基礎パッキン３が挟み込まれている。この為、パッキンの無い箇所が通気間隙４となり、ここから床下換気が可能である。５は布基礎の表面に設けられた化粧モルタル、６は柱、７は外装材である。
【０００８】
水切り材は、取付部１１と、傾斜した雨水案内部１２と、前垂れ部１３とからなる通常形態の本体１０と、防鼠部１４とで構成されている。防鼠部１４は前垂れ部１３の背後に位置し、取付部１１の下端から下方に片持ち状態で連設された形状である。また、防鼠部１４には、図２に示されるような、鼠が通過できない大きさの多数の通気孔１５が形成されていて、床下への換気が可能である。防鼠部１４は、適度な弾性を有する素材で作られていて、その下端部１６は常に布基礎１の表面と当接するようになり、また、布基礎の表面に不陸があると、それに沿って変形するようになる。図示例では、防鼠部１４の惰性変形を容易にする為、屈曲部１７が形成されている。なお、図示例の水切り材１０は、板金製である。要は、防鼠部１４が適度な弾性を有して、布基礎と常に当接し、布基礎の不陸に沿って変形すればよい。
【０００９】
図３は第２実施例で、第１実施例に比べて、防鼠部１４に屈曲部がない。図４は第３実施例で、壁に通気間隙８を設ける通気壁工法の建物に用いるもので、この通気間隙内に虫が侵入するのを防止する為、防虫部１８が取付部１１から突出状に形成されている。この防虫部１８には図５に示されるように、虫が通過できない大きさの通気孔１９が多数形成されている。この為、壁内への通気性を損なうことなく、虫の侵入を防止できる。
【００１０】
図６は第４実施例で、第３実施例に比べて、防鼠部１４には、屈曲部１７が設けられている。図７は、第５実施例で、防虫部１８が取付部１１の裏側に設けられている。図８は第６実施例で、屈曲部のない形である。
【００１１】
本発明は、前記の実施例に限定されるものではなく、特許請求の範囲の記載の範囲内で自由に変形実施可能である。特に、水切り材本体１０や防鼠部１４の材質や形状などは自由であり、通気孔１５の形状も自由である。
【００１２】
【発明の効果】
本発明の水切り材は、弾性を有する１枚の板金から作られている。即ち、先ず、板金を折返して、取付部を２重構造とし、その先を、それぞれに折り曲げて、水切り材本体と、防鼠部とを形成している。これにより、水切り材は、全体が一体化しているため、製造時には、別体の要素を組付ける作業が無くて、製造工程が簡略化できる他に、取付時には、防鼠部の下端部を布基礎に当接させるだけで、全体の位置合わせができるなど、作業が容易になる。その上、防鼠部は弾性を有し、かつ、片持ち状態で支持されているので、その下端は常に布基礎と当接するようになり、また、布基礎に不陸があると、それに沿って変形することができる。更に、全体が、１枚の弾性を有する板金で作られているので、水切り材本体も弾性を有する。このため、使用時に何かと衝突しても、変形することが少なく、長期に亘って元の形状を保持できる。また、防鼠部は水切り材本体の前垂れ部の背後に位置するので、防鼠部の変形は外からは見えず、また、防鼠部の変形は水切り材本体に影響を与えないので、水切り材の施工状態での外観体裁を損なうことがない。
【００１３】
請求項２のものは、防虫部が取付部の前方に一体に形成されていて、通気工法に用いた場合には、通気性を損なうことなく、壁の通気間隙への虫の侵入を防止できて、有益である。
【００１４】
請求項３のものは、防虫部が取付部の後方に一体に形成されていて、通気工法に用いた場合には、通気性を損なうことなく、壁の通気間隙への虫の侵入を防止できて、有益である。
【図面の簡単な説明】
【図１】第１実施例の水切り材の使用状態の断面図。
【図２】第１実施例の水切り材の背面図。
【図３】第２実施例の水切り材の断面図。
【図４】第３実施例の水切り材の使用状態の断面図。
【図５】第３実施例の水切り材の平面図。
【図６】第４実施例の水切り材の断面図。
【図７】第５実施例の水切り材の使用状態の断面図。
【図８】第６実施例の水切り材の断面図。
【符号の説明】
１０        水切り材本体
１１        取付部
１２        雨水案内部
１３        前垂れ部
１４        防鼠部
１５        通気孔
１６        下端部
１７        屈曲部
１８        防虫部
【図１】
0004751523.tif 000002
【図２】
0004751523.tif 000003
【図３】
0004751523.tif 000004
【図４】
0004751523.tif 000005
【図５】
0004751523.tif 000006
【図６】
0004751523.tif 000007
【図７】
0004751523.tif 000008
【図８】
0004751523.tif 000009